(57)【特許請求の範囲】
【請求項１】
固定接点を取り付けた絶縁基体と、復帰用付勢部材によって復帰するように付勢された操作部材と、この操作部材の操作によって可動され、前記固定接点に接離して接点の切換を行う可動接点と、押圧用付勢部材によって常時押圧されたロック部材と、前記操作部材と前記ロック部材との間に形成されたロック機構とを備え、前記操作部材のみを操作した際、前記操作部材は前記ロック機構によって操作不能となすと共に、前記ロック部材と前記操作部材を操作可能な駆動部材によって、先ず、前記ロック部材を可動して前記ロック機構が解除されて、前記操作部材の操作を可能な状態になし、前記ロック機構が解除された後、前記駆動部材によって前記操作部材が操作されて接点の切換を行うようにしたことを特徴とするロック機構付スイッチ装置。
【請求項２】
前記操作部材と並設された前記ロック部材は、カム部と、前記操作部材の係合部と係脱可能で、前記係合部とで前記ロック機構を構成するロック部とを有し、前記カム部と前記駆動部材との衝合によって前記ロック部材が可動されて、前記ロック機構を解除するようにしたことを特徴とする請求項１記載のロック機構付スイッチ装置。
【請求項３】
前記ロック部材は、前記駆動部材によって前記押圧用付勢部材に抗して直線移動して、前記ロック機構が解除されるようにしたことを特徴とする請求項１、又は２記載のロック機構付スイッチ装置。
【請求項４】
前記ロック部材は、前記駆動部材によって前記押圧用付勢部材に抗して回転移動して、前記ロック機構が解除されるようにしたことを特徴とする請求項１、又は２記載のロック機構付スイッチ装置。
【請求項５】
前記ロック部材は、前記駆動部材によって前記押圧用付勢部材に抗して直線移動と回転移動して、前記ロック機構が解除されるようにしたことを特徴とする請求項１、又は２記載のロック機構付スイッチ装置。
【請求項６】
前記絶縁基体は、前記固定接点を取り付けた底壁と、この底壁から伸びる側壁と、前記底壁と前記側壁とで囲まれた収納部とを有し、前記収納部には、前記操作部材、前記操作部材を復帰させるための前記復帰用付勢部材、ロック部材、前記ロック部材を押圧する前記押圧用付勢部材、及び前記可動接点が収納されると共に、前記絶縁基体の前記側壁の開放部を覆うように、前記絶縁基体に取り付けられたカバーを備えたことを特徴とする請求項１から５の何れかに記載のロック機構付スイッチ装置。
【請求項７】
前記可動接点は、バネ性ある金属板が折り曲げられて形成され、開放部を設けて互いに対向して配置された第１，第２の基部と、互いに間隔を置いて配置され、前記第１，第２の基部を連結する第１，第２の連結部と、この第１，第２の連結部間に位置した状態で、互いに対向するように前記第１，第２の基部から突出して設けられた少なくとも２個の第１，第２の接触部とを備え、前記底壁から上方に延びる前記固定接点の前記接点部は、前記第１，第２の基部間に位置する前記開放部と、前記第１，第２の接触部間に位置し、前記操作部材の操作によって、前記可動接点が前記接点部の延びる方向に移動して、前記第１，第２の接触部を介して２個の前記固定接点間をＯＮ、ＯＦＦするようにしたことを特徴とする請求項１から６の何れかに記載のロック機構付スイッチ装置。
【請求項８】
前記可動接点は、前記第１，第２の連結部がＵ字状に折り曲げられて形成されると共に、前記第１，第２の連結部間に設けられた孔内には、前記第１，第２の接触部が配置され、前記第１，第２の基部が前記第１，第２の接触部よりも前記底壁に近い位置に配置されて、前記固定接点が前記第１，第２の基部の開放部を通って前記第１，第２の接触部に至るようにしたことを特徴とする請求項７記載のロック機構付スイッチ装置。
【請求項９】
前記可動接点を保持した前記操作部材は、回動可能に取り付けられてレバー型をなし、前記操作部材の操作部が前記駆動部材によって操作されて接点の切換を行うようにしたことを特徴とする請求項１から８の何れかに記載のロック機構付スイッチ装置。
【請求項１０】
前記操作部材の前記操作部が前記絶縁基体の収納部内に位置したことを特徴とする請求項８記載のロック機構付スイッチ装置。
【請求項１１】
前記操作部材の前記操作部が前記絶縁基体の収納部から外方に突出したことを特徴とする請求項８記載のロック機構付スイッチ装置。
【請求項１２】
前記可動接点を保持した前記操作部材は、直線移動可能に取り付けられてプッシュ型をなし、前記操作部材の操作部が前記駆動部材によって操作されて接点の切換を行うようにしたことを特徴とする請求項１から８の何れかに記載のロック機構付スイッチ装置。
【請求項１３】
２個の前記ロック部材が前記操作部材の両側に配置されて、二つの前記ロック機構が形成され、二つの前記ロック機構が解除された後、前記操作部材の操作を可能としたことを特徴とする請求項１２記載のロック機構付スイッチ装置。
【請求項１４】
２個の前記ロック部材の内の一方が移動を始めた後、前記ロック部材の他方が移動するようにしたことを特徴とする請求項１３記載のロック機構付スイッチ装置。
【請求項１５】
前記絶縁基体の収納部には、前記ロック部材のカム部に当接して、前記ロック部材を移動する可動体が移動可能に取り付けられ、前記可動体が前記駆動部材によって操作されて、前記ロック機構を解除するようにしたことを特徴とする請求項１２から１４の何れかに記載のロック機構付スイッチ装置。
【請求項１６】
前記可動体に設けられた突出部が前記収納部から突出して配置され、前記突出部が前記駆動部材によって操作されるようにしたことを特徴とする請求項１５記載のロック機構付スイッチ装置。
【発明の詳細な説明】
【０００１】
【発明の属する技術分野】
本発明は携帯電話機等の電子機器に使用して好適なロック機構付スイッチ装置に関する。
【０００２】
【従来の技術】
従来のスイッチ装置は、操作部材の操作によって可動接点が移動して接点の切換を行うようになっているが、操作部材に不用意にタッチすると、意に反して操作部材が操作されてしまうものであった。
【０００３】
【発明が解決しようとする課題】
従来のスイッチ装置は、操作部材に不用意にタッチすると、意に反して操作部材が操作されてしまい、正確な操作ができないという問題がある。
【０００４】
そこで、本発明は操作部材に不用意にタッチしても、意に反して操作部材が操作されず、正確な操作が可能なロック機構付スイッチ装置を提供することを目的とする。
【０００５】
【課題を解決するための手段】
上記課題を解決するための第１の解決手段として、固定接点を取り付けた絶縁基体と、復帰用付勢部材によって復帰するように付勢された操作部材と、この操作部材の操作によって可動され、前記固定接点に接離して接点の切換を行う可動接点と、押圧用付勢部材によって常時押圧されたロック部材と、前記操作部材と前記ロック部材との間に形成されたロック機構とを備え、前記操作部材のみを操作した際、前記操作部材は前記ロック機構によって操作不能となすと共に、前記ロック部材と前記操作部材を操作可能な駆動部材によって、先ず、前記ロック部材を可動して前記ロック機構が解除されて、前記操作部材の操作を可能な状態になし、前記ロック機構が解除された後、前記駆動部材によって前記操作部材が操作されて接点の切換を行うようにした構成とした。
【０００６】
また、第２の解決手段として、前記操作部材と並設された前記ロック部材は、カム部と、前記操作部材の係合部と係脱可能で、前記係合部とで前記ロック機構を構成するロック部とを有し、前記カム部と前記駆動部材との衝合によって前記ロック部材が可動されて、前記ロック機構を解除するようにした構成とした。
【０００７】
また、第３の解決手段として、前記ロック部材は、前記駆動部材によって前記押圧用付勢部材に抗して直線移動して、前記ロック機構が解除されるようにした構成とした。
また、第４の解決手段として、前記ロック部材は、前記駆動部材によって前記押圧用付勢部材に抗して回転移動して、前記ロック機構が解除されるようにした構成とした。
また、第５の解決手段として、前記ロック部材は、前記駆動部材によって前記押圧用付勢部材に抗して直線移動と回転移動して、前記ロック機構が解除されるようにした構成とした。
【０００８】
また、第６の解決手段として、前記絶縁基体は、前記固定接点を取り付けた底壁と、この底壁から伸びる側壁と、前記底壁と前記側壁とで囲まれた収納部とを有し、前記収納部には、前記操作部材、前記操作部材を復帰させるための前記復帰用付勢部材、ロック部材、前記ロック部材を押圧する前記押圧用付勢部材、及び前記可動接点が収納されると共に、前記絶縁基体の前記側壁の開放部を覆うように、前記絶縁基体に取り付けられたカバーを備えた構成とした。
【０００９】
また、第７の解決手段として、前記可動接点は、バネ性ある金属板が折り曲げられて形成され、開放部を設けて互いに対向して配置された第１，第２の基部と、互いに間隔を置いて配置され、前記第１，第２の基部を連結する第１，第２の連結部と、この第１，第２の連結部間に位置した状態で、互いに対向するように前記第１，第２の基部から突出して設けられた少なくとも２個の第１，第２の接触部とを備え、前記底壁から上方に延びる前記固定接点の前記接点部は、前記第１，第２の基部間に位置する前記開放部と、前記第１，第２の接触部間に位置し、前記操作部材の操作によって、前記可動接点が前記接点部の延びる方向に移動して、前記第１，第２の接触部を介して２個の前記固定接点間をＯＮ、ＯＦＦするようにした構成とした。
【００１０】
また、第８の解決手段として、前記可動接点は、前記第１，第２の連結部がＵ字状に折り曲げられて形成されると共に、前記第１，第２の連結部間に設けられた孔内には、前記第１，第２の接触部が配置され、前記第１，第２の基部が前記第１，第２の接触部よりも前記底壁に近い位置に配置されて、前記固定接点が前記第１，第２の基部の開放部を通って前記第１，第２の接触部に至るようにした構成とした。
【００１１】
また、第９の解決手段として、前記可動接点を保持した前記操作部材は、回動可能に取り付けられてレバー型をなし、前記操作部材の操作部が前記駆動部材によって操作されて接点の切換を行うようにした構成とした。
また、第１０の解決手段として、前記操作部材の前記操作部が前記絶縁基体の収納部内に位置した構成とした。
また、第１１の解決手段として、前記操作部材の前記操作部が前記絶縁基体の収納部から外方に突出した構成とした。
【００１２】
また、第１２の解決手段として、前記可動接点を保持した前記操作部材は、直線移動可能に取り付けられてプッシュ型をなし、前記操作部材の操作部が前記駆動部材によって操作されて接点の切換を行うようにした構成とした。
【００１３】
また、第１３の解決手段として、２個の前記ロック部材が前記操作部材の両側に配置されて、二つの前記ロック機構が形成され、二つの前記ロック機構が解除された後、前記操作部材の操作を可能とした構成とした。
また、第１４の解決手段として、２個の前記ロック部材の内の一方が移動を始めた後、前記ロック部材の他方が移動するようにした構成とした。
【００１４】
また、第１５の解決手段として、前記絶縁基体の収納部には、前記ロック部材のカム部に当接して、前記ロック部材を移動する可動体が移動可能に取り付けられ、前記可動体が前記駆動部材によって操作されて、前記ロック機構を解除するようにした構成とした。
また、第１６の解決手段として、前記可動体に設けられた突出部が前記収納部から突出して配置され、前記突出部が前記駆動部材によって操作されるようにした構成とした。
【００１５】
【発明の実施の形態】
本発明のロック機構付スイッチ装置の図面を説明すると、図１は本発明のロック機構付スイッチ装置の第１実施例を示す分解斜視図、図２は本発明のロック機構付スイッチ装置の第１実施例を示す斜視図、図３は本発明のロック機構付スイッチ装置の第１実施例に係り、絶縁基体の一部切り欠き斜視図、図４は本発明のロック機構付スイッチ装置の第１実施例に係り、操作部材の一部を切り欠きした斜視図である。
【００１６】
また、図５は本発明のロック機構付スイッチ装置の第１実施例に係り、要部の構成と動作の第１状態を示す説明図、図６は本発明のロック機構付スイッチ装置の第１実施例に係り、動作の第２状態を示す説明図、図７は本発明のロック機構付スイッチ装置の第１実施例に係り、動作の第２状態における操作部材とロック部材の関係を示す説明図である。
【００１７】
また、図８は本発明のロック機構付スイッチ装置の第１実施例に係り、動作の第３状態を示す説明図、図９は本発明のロック機構付スイッチ装置の第１実施例に係り、動作の第３状態における操作部材とロック部材の関係を示す説明図、図１０は本発明のロック機構付スイッチ装置の第１実施例に係り、動作の第４状態を示す説明図、図１１は本発明のロック機構付スイッチ装置の第１実施例に係り、動作の第４状態における操作部材とロック部材の関係を示す説明図である。
【００１８】
また、図１２は本発明のロック機構付スイッチ装置の第２実施例に係り、要部の構成と動作の第１状態を示す説明図、図１３は本発明のロック機構付スイッチ装置の第２実施例に係り、動作の第２状態を示す説明図、図１４は本発明のロック機構付スイッチ装置の第２実施例に係り、動作の第３状態を示す説明図、図１５は本発明のロック機構付スイッチ装置の第２実施例に係り、動作の第４状態を示す説明図である。
【００１９】
また、図１６は本発明のロック機構付スイッチ装置の第３実施例に係り、要部の構成と動作の第１状態を示す説明図、図１７は本発明のロック機構付スイッチ装置の第３実施例に係り、動作の第２状態を示す説明図、図１８は本発明のロック機構付スイッチ装置の第３実施例に係り、動作の第３状態を示す説明図、図１９は本発明のロック機構付スイッチ装置の第３実施例に係り、動作の第４状態を示す説明図である。
【００２０】
また、図２０は本発明のロック機構付スイッチ装置の第４実施例に係り、要部の構成と動作の第１状態を示す説明図、図２１は本発明のロック機構付スイッチ装置の第４実施例に係り、動作の第２状態を示す説明図、図２２は本発明のロック機構付スイッチ装置の第４実施例に係り、動作の第３状態を示す説明図、図２３は本発明のロック機構付スイッチ装置の第４実施例に係り、動作の第４状態を示す説明図、図２４は本発明のロック機構付スイッチ装置の第４実施例に係り、動作の第５状態を示す説明図である。
【００２１】
また、図２５は本発明のロック機構付スイッチ装置の第５実施例に係り、要部の構成と動作の第１状態を示す説明図、図２６は本発明のロック機構付スイッチ装置の第５実施例に係り、動作の第２状態を示す説明図、図２７は本発明のロック機構付スイッチ装置の第５実施例に係り、動作の第３状態を示す説明図、図２８は本発明のロック機構付スイッチ装置の第６実施例に係り、要部の構成を示す要部断面図である。
【００２２】
次に、本発明のロック機構付スイッチ装置の第１実施例の構成を図１〜図１１に基づいて説明すると、この第１実施例はレバー型のスイッチ装置を示し、絶縁材の成型品からなる箱形をなした絶縁基体１は、底壁１ａと、この底壁１ａから上方に突出し、上端部側が開放部となった環状の側壁１ｂと、この側壁１ｂと底壁１ａとで囲まれた収納部１ｃと、底壁１ａの内面から間隔を置いて上方に突出し、頂部に円弧状の凹部を有する一対の台座部１ｄと、側壁１ｂの外周面に設けられた複数個の楔状の突起１ｅとを有する。
【００２３】
金属板からなる２個の固定接点２は、底壁１ａに埋設して取り付けられ、底壁１ａの一面（上面）から上方に突出して延びる接点部２ａと、底壁１ａから外方に突出して延びる端子部（図示せず）とを有する。
【００２４】
金属板等からなるカバー３は、上面板３ａと、この上面板３ａから下方に折り曲げられた一対の側面板３ｂと、上面板３ａと側面板３ｂに跨って設けられた比較的大きな２個の孔３ｃ、３ｄと、側面板３ｂに設けられた孔や切り欠き部からなる複数個の係止部３ｅとを有する。
【００２５】
そして、このカバー３は、側壁１ｂの上部の開放部を覆うように、絶縁基体１にはめ合わされ、側面板１ｂに設けられた突起１ｅが係止部３ｅに嵌入（スナップ結合）して、カバー３が絶縁基体１に取り付けられる。
即ち、突起１ｅと係止部３ｅとで係止手段が構成され、この係止手段がスナップ結合することによって、両者が組み合わされるようになっている。
【００２６】
絶縁材の成型品で形成された操作部材４は、本体部４ａと、本体部４ａの上面から傾斜状の凹みを設けることによって形成された操作部４ｂと、本体部４ａの下部に設けられた凹みからなる２個の収容部４ｃ、４ｄと、本体部４ａの下部に間隔を置いて設けられ、先端部が円弧状凸部で形成された一対の支持部４ｅと、本体部４ａの下部の一端側に設けられた肩部からなる係合部４ｆとを有する。
【００２７】
そして、操作部材４は、収納部１ｃ内に収納され、一対の支持部４ｅが台座部１ｄ上に載置、係合されて、回動可能に支持されている。
また、操作部材４が取り付けられた際、操作部材４の上面はカバー３で支持されると共に、操作部４ｂは収納部１ｃ内に位置した状態で、カバー３の孔３ｃと対向した状態となっている。
【００２８】
捻りコイルバネ等からなる復帰用付勢部材５は、操作部材４の収容部４ｃ内に位置した状態で、操作部材４と底壁１ａとの間に介在されて、復帰用付勢部材５の両腕部によって操作部材４を常時上方に付勢して、操作部材４を操作した時、操作部材４を元の状態に復帰するようになっている。
【００２９】
バネ性ある金属板がＵ字状に折り曲げられて形成された可動接点６は、開放部６ａを設けて互いに対向して配置された帯状の第１，第２の基部６ｂ、６ｃと、互いに間隔を置いて配置され、第１，第２の基部６ｂ、６ｃを連結するＵ字状の第１，第２の連結部６ｄ、６ｅと、この第１，第２の連結部６ｄ、６ｅ間に設けられた孔６ｆと、第１，第２の連結部６ｄ、６ｅ間の孔６ｆ内に位置した状態で、互いに対向するように第１，第２の基部６ｂ、６ｃから突出して設けられたクリップ状の２組の第１，第２の接触部６ｇ、６ｈとを有する。
【００３０】
そして、この可動接点６は、第１，第２の接触部６ｇ、６ｈ側を上方にして、操作部材４の収容部４ｄ内に収納された状態で、適宜手段により操作部材４に取り付けられる。
【００３１】
また、可動接点６が操作部材４に取り付けられた際、第１，第２の基部６ｂ、６ｃが第１，第２の接触部６ｇ、６ｈよりも底壁１ａに近い位置に配置されると共に、固定接点２の接点部２ａは、第１，第２の基部６ｂ、６ｃ間に位置する開放部６ａを通って第１，第２の接触部６ｇ、６ｈに至るように延びている。
【００３２】
そして、操作部材４が回動に移動した際、可動接点６は、操作部材４と共に回動し、その結果、第１，第２の接触部６ｇ、６ｈは、固定接点２の接点部２ａの延びる方向に移動して、第１，第２の接触部６ｇ、６ｈが接点部２ａを両面から挟持して接触、或いは接点部２ａから離れて、固定接点２間の切換を行うようになっている。
【００３３】
合成樹脂の成型品からなるロック部材７は、本体部７ａと、本体部７ａの上面側に設けられた凹部７ｂと、この凹部７ｂ内に位置して設けられた傾斜状のカム部７ｃと、本体部７ａの側部に設けられた突起からなるロック部７ｄと、本体部７ａの側部に設けられた収容部７ｅとを有する。
【００３４】
そして、このロック部材７は、操作部材４に隣り合わせで並設された状態で、収納部１ｃ内に移動（直線移動）可能に収納され、ロック部７ｄが操作部材４の係合部４ｆと係脱可能となって、このロック部７ｄと係合部４ｆとでロック機構が形成されている。
【００３５】
また、ロック部材７が取り付けられた際、凹部７ｂが孔３ｄと対向すると共に、ロック部７ｄの肩部の上部が係合部４ｆの肩部の下部に位置して、ロック機構が働いた状態となって、操作部材４の操作を不能な状態にし、また、ロック部材７は、底壁１ａとカバー３との間で挟まれた状態で、これをガイドにして直線移動可能となっており、ロック部材７が移動して、ロック機構が解除された時、操作部材４の操作が可能となっている。
【００３６】
コイルバネ等からなる押圧用付勢部材８は、ロック部材７の収容部７ｅ内に位置した状態で、側壁１ｂとロック部材７との間に介在されて、ロック部材７を常時操作部材４側に押圧して、通常時はロック機構が働き、また、移動状態にあるロック部材７は、この押圧用付勢部材８によって、元の状態に復帰するようになっている。
【００３７】
次に、このような構成を有する本発明のロック機構付スイッチ装置の第１実施例の動作を図５〜図１１に基づいて説明すると、スイッチ装置を駆動する駆動部材９は、比較的長い凸部からなる第１の駆動部９ａと、比較的短い凸部からなる第２の駆動部９ｂを有し、この駆動部材９は、先ず、図５に示すように、第１，第２の駆動部９ａ、９ｂがカバー３の孔３ｄ、３ｃに一致した状態にする。
【００３８】
この状態から駆動部材９を可動すると、図６に示すように、先ず、第１の駆動部９ａが孔３ｄを通して凹部７ｄ内に位置した状態となる。
この時、図７に示すように、ロック部材７は未移動の状態で、係合部４ｆとロック部７ｄは係合状態にあって、ロック機構が未解除の状態となっている。
【００３９】
次に、この状態で駆動部材９の移動を続けると、図８に示すように、第１の駆動部９ａがカム部７ｃと衝合して、押圧用付勢部材８のバネ性に抗してロック部材７を直線移動（スライド移動）させる。
すると、図８，図９に示すように、ロック部７ｄが係合部４ｆから外れて、ロック機構が解除された状態となる。
【００４０】
次に、この状態で駆動部材９の移動を続けると、図１０、図１１に示すように、第２の駆動部９ｂが孔３ｃを通して操作部４ｂに当接し、操作部４ｂを押圧する。
すると、操作部材４は、支持部４ｃを支点として回動して、可動接点６が可動し、第１，第２の接触部６ｇ、６ｈが２個の接点部２ａを挟持して、この２個の固定接点２間がＯＦＦ状態からＯＮ状態となる。
【００４１】
次に、駆動部材９を引き抜くと、先ず、操作部材４は復帰用付勢部材５によって元の状態に押し戻される。
このため、可動接点６も元の状態に戻り、固定接点２間は、ＯＮ状態からＯＦＦ状態となる。
【００４２】
また、操作部材４が元の状態に復帰し、駆動部材９から押圧状態が解除されたロック部材７は、押圧用付勢部材８によって元の状態に押し戻されて、ロック機構が働いた元の状態に戻る。
この状態で、操作部材４のみを指等で操作しても、ロック機構が働いているため、操作部材４は操作不能な状態となっている。
【００４３】
また、図１２〜図１５は本発明のロック機構付スイッチ装置の第２実施例を示し、この第２実施例は、レバー型のスイッチ装置であって、可動接点６を保持し、収納部１ｃ内に収納された操作部材１１は、操作部１１ｂが収納部１ｃから外方に突出した状態で、軸部１２によって回動可能に支持されている。
【００４４】
また、支軸１３によって、側壁１ｂに対して直線移動と回転が可能に保持され、収納部１ｃ内に収納された鍵状のロック部材１４は、傾斜部と直線部からなるカム部１４ｃと、操作部材１１の係合部１１ｆと係脱可能で、係合部１１ｆとでロック機構を構成するロック部１４ｄとを有し、このロック部材１４は、ロック部材１４と底壁１ａとの間に介在された捻りコイルバネからなる押圧用付勢部材１５によって、常時押圧されている。
【００４５】
また、固定接点２，及び復帰用付勢部材５は、前記第１実施例と同様の構成を有し、ここでは図示を省略すると共に、可動接点６は、前記第１実施例と同様な構成を有し、ここでは同一部品に同一番号を付して、その説明を省略する。
【００４６】
次に、このような構成を有する本発明のロック機構付スイッチ装置の第２実施例の動作を図１２〜図１５に基づいて説明すると、スイッチ装置を駆動する駆動部材９は、比較的長い凸部からなる第１の駆動部９ａと、短い凸部からなる第２の駆動部９ｂを有し、この駆動部材９は、先ず、図１２に示すように、第１，第２の駆動部９ａ、９ｂがそれぞれロック部材１４と操作部１１ｂに一致した状態にする。
【００４７】
この状態から駆動部材９を可動すると、先ず、第１の駆動部９ａが孔３ｄを通ってカム部１４ｃの傾斜部に衝合して、図１３に示すように、押圧用付勢部材１５に抗してロック部材１４を直線移動（図１３の左側方向）して、ロック部１４ｄと係合部１１ｆ間のロック状態が外れる。
【００４８】
次に、この状態で駆動部材９の移動を続けると、図１４に示すように、第１の駆動部９ａがカム部１４ｃの直線部と衝合して、押圧用付勢部材１５のバネ性に抗してロック部材が支軸１３を支点として回転動作して、ロック部材１４が操作部材１１から離れた状態となる。
【００４９】
次に、この状態で駆動部材９の移動を続けると、図１５に示すように、第２の駆動部９ｂが操作部１１ｂに当接し、操作部１１ｂを押圧する。
すると、操作部材１１は、軸部１２を支点として回動して、可動接点６が可動し、第１，第２の接触部６ｇ、６ｈが２個の接点部２ａを挟持して、この２個の固定接点２間がＯＦＦ状態からＯＮ状態となる。
【００５０】
次に、駆動部材９を引き抜くと、先ず、操作部材１１は復帰用付勢部材５によって元の状態に押し戻される。
このため、可動接点６も元の状態に戻り、固定接点２間は、ＯＮ状態からＯＦＦ状態となる。
【００５１】
また、操作部材１１が元の状態に復帰し、駆動部材９から押圧状態が解除されたロック部材１４は、押圧用付勢部材１５によって元の状態に押し戻されて、ロック機構が働いた元の状態に戻る。
この状態で、操作部材１１のみを指等で操作しても、ロック機構が働いているため、操作部材１１は操作不能な状態となっている。
【００５２】
なお、この第２実施例では、ロック部材が直線移動と回転動作を行うようにしたが、ロック部材が回転動作のみ行って、ロック機構を解除するようにしても良い。
【００５３】
また、図１６〜図１９は本発明のロック機構付スイッチ装置の第３実施例を示し、この第３実施例は、プッシュ型のスイッチ装置であって、可動接点６を保持し、収納部１ｃ内に収納された操作部材１６は、操作部１６ｂが収納部１ｃから外方に突出した状態で、上下動可能に支持されている。
【００５４】
また、コイルバネからなる復帰用付勢部材５によって付勢された操作部材１６の両側には、それぞれコイルバネからなる押圧用付勢部材８によって押圧された一対のロック部材１７が並設して配置されている。
このロック部材１７は、凹部１７ｂ内に設けられた傾斜状のカム部１７ｃと、側部に設けられたロック部１７ｄを有し、このロック部１７ｄと操作部材１６の係合部１６ｆとで、係脱可能な二つのロック機構が形成されている。
【００５５】
また、固定接点２は、前記第１実施例と同様の構成を有し、ここでは図示を省略すると共に、可動接点６は、前記第１実施例と同様な構成を有し、ここでは同一部品に同一番号を付して、その説明を省略する。
【００５６】
次に、このような構成を有する本発明のロック機構付スイッチ装置の第３実施例の動作を図１６〜図１９に基づいて説明すると、スイッチ装置を駆動する駆動部材９は、比較的長い凸部からなる一対の第１の駆動部９ａと、平坦な第２の駆動部９ｂを有し、この駆動部材９は、先ず、図１６に示すように、一対の第１の駆動部９ａをロック部材１７に一致させると共に、第２の駆動部９ｂを操作部１６ｂに一致した状態にする。
【００５７】
この状態から駆動部材９を可動すると、図１７に示すように、先ず、第１の駆動部９ａが孔３ｄを通って二つのロック部材１７のカム部１７ｃの傾斜部に衝合し、更に、駆動部材９の可動を続けると、図１８に示すように、押圧用付勢部材８に抗して二つのロック部材１７を直線移動して、ロック部１７ｄと係合部１６ｆ間のロック状態が外れる。
即ち、二つのロック機構が解除された状態となる。
【００５８】
次に、この状態で駆動部材９の移動を続けると、図１９に示すように、第２の駆動部９ｂが操作部１６ｂに当接し、復帰用付勢部材５に抗して操作部１６ｂを押圧する。
すると、操作部材１６は、下方に直線移動して可動接点６が可動し、第１，第２の接触部６ｇ、６ｈが２個の接点部２ａを挟持して、この２個の固定接点２間がＯＦＦ状態からＯＮ状態となる。
【００５９】
次に、駆動部材９を引き抜くと、先ず、操作部材１６は復帰用付勢部材５によって元の状態に押し戻される。
このため、可動接点６も元の状態に戻り、固定接点２間は、ＯＮ状態からＯＦＦ状態となる。
【００６０】
また、操作部材１６が元の状態に復帰し、駆動部材９から押圧状態が解除されたロック部材１７は、押圧用付勢部材８によって元の状態に押し戻されて、二つのロック機構が働いた元の状態に戻る。
この状態で、操作部材１６のみを指等で操作しても、ロック機構が働いているため、操作部材１６は操作不能な状態となっている。
【００６１】
なお、この第３実施例では、ロック部材が直線移動するもので説明したが、ロック部材が直線移動と回転動作を行うもの、或いは回転動作のみ行って、ロック機構のロックを解除するようにしても良い。
【００６２】
また、図２０〜図２４は本発明のロック機構付スイッチ装置の第４実施例を示し、この第４実施例は、プッシュ型のスイッチ装置であって、操作部材１６の両側に配置された一対のロック部材１７がそれぞれ捻りコイルバネからなる押圧用付勢部材１８によって押圧された構成となっている。
【００６３】
また、その他の構成は、前記第３実施例と同様な構成を有し、ここでは同一部品に同一番号を付して、その説明を省略する。
【００６４】
次に、このような構成を有する本発明のロック機構付スイッチ装置の第４実施例の動作を図２０〜図２４に基づいて説明すると、スイッチ装置を駆動する駆動部材９は、比較的長い凸部で、長さの異なる一対の第１の駆動部９ａと、平坦な第２の駆動部９ｂを有し、この駆動部材９は、先ず、図２０に示すように、一対の第１の駆動部９ａをロック部材１７に一致させると共に、第２の駆動部９ｂを操作部１６ｂに一致した状態にする。
【００６５】
この状態から駆動部材９を可動すると、図２１に示すように、先ず、一対の第１の駆動部９ａが孔３ｄを通って凹部１７ｄ内に位置した状態となると共に、長い方の第１の駆動部９ａが一方のロック部材１７のカム部１７ｃの傾斜部に衝合して、一方のロック部材１７の直線移動を開始する。
【００６６】
更に、駆動部材９の可動を続けると、図２２に示すように、次に、短い方の第１の駆動部９ａが他方のロック部材１７のカム部１７ｃの傾斜部に衝合して、他方のロック部材１７の直線移動を開始する。
即ち、二つのロック部材１７の移動に時間差を持たせたものとなっている。
そして、駆動部材９の可動を続けると、図２３に示すように、押圧用付勢部材１８に抗して二つのロック部材１７が直線移動して、ロック部１７ｄと係合部１６ｆ間のロック状態が外れる。
即ち、二つのロック機構が解除された状態となる。
【００６７】
次に、この状態で駆動部材９の移動を続けると、図２４に示すように、第２の駆動部９ｂが操作部１６ｂに当接し、復帰用付勢部材５に抗して操作部１６ｂを押圧する。
すると、操作部材１６は、下方に直線移動して可動接点６が可動し、第１，第２の接触部６ｇ、６ｈが２個の接点部２ａを挟持して、この２個の固定接点２間がＯＦＦ状態からＯＮ状態となる。
【００６８】
次に、駆動部材９を引き抜くと、先ず、操作部材１６は復帰用付勢部材５によって元の状態に押し戻される。
このため、可動接点６も元の状態に戻り、固定接点２間は、ＯＮ状態からＯＦＦ状態となる。
【００６９】
また、操作部材１６が元の状態に復帰し、駆動部材９から押圧状態が解除されたロック部材１７は、押圧用付勢部材１８によって元の状態に押し戻されて、二つのロック機構が働いた元の状態に戻る。
この状態で、操作部材１６のみを指等で操作しても、ロック機構が働いているため、操作部材１６は操作不能な状態となっている。
【００７０】
また、図２５〜図２７は本発明のロック機構付スイッチ装置の第５実施例を示し、この第５実施例は、プッシュ型のスイッチ装置であって、操作部材１６の両側には一対のロック部材１７が配置されて、二つのロック機構が形成されると共に、収納部１ｃ内には、二つのロック部材１７を可動するための二つの可動体１９が収納され、可動体１９の突出部１９ａが収納部１ｃから外方に突出した構成となっている。
【００７１】
また、その他の構成は、前記第３実施例と同様であるので、ここでは同一部品に同一番号を付して、その説明を省略する。
【００７２】
次に、このような構成を有する本発明のロック機構付スイッチ装置の第５実施例の動作を図２５〜図２７に基づいて説明すると、スイッチ装置を駆動する駆動部材２０は、凸部からなる一対の第１の駆動部２０ａと、凹部からなる第２の駆動部２０ｂを有し、この駆動部材２０は、先ず、図２５に示すように、一対の第１の駆動部２０ａを可動体１９の突出部１９ａに一致させると共に、第２の駆動部２０ｂを操作部１６ｂに一致した状態にする。
【００７３】
この状態から駆動部材２０を可動すると、図２６に示すように、先ず、第１の駆動部２０ａが可動体１９の突出部１９ａに衝合し、更に、駆動部材２０の可動を続けると、図２７に示すように、可動体１９がカム部１７ｃを押圧し、これによって、押圧用付勢部材８に抗して二つのロック部材１７が直線移動して、ロック部１７ｄと係合部１６ｆ間のロック状態が外れる。
即ち、二つのロック機構が解除された状態となる。
【００７４】
また、この駆動部材２０に可動途上において、図２６に示すように、第２の駆動部２０ｂが操作部１６ｂに当接し、復帰用付勢部材５に抗して操作部１６ｂを押圧し、更に、駆動部材２０の可動を続けると、図２７に示すように、操作部材１６は、下方に直線移動して可動接点６が可動し、第１，第２の接触部６ｇ、６ｈが２個の接点部２ａを挟持して、この２個の固定接点２間がＯＦＦ状態からＯＮ状態となる。
【００７５】
次に、駆動部材２０を引き抜くと、先ず、操作部材１６は復帰用付勢部材５によって元の状態に押し戻される。
このため、可動接点６も元の状態に戻り、固定接点２間は、ＯＮ状態からＯＦＦ状態となる。
【００７６】
また、操作部材１６が元の状態に復帰し、駆動部材２０から押圧状態が解除されたロック部材１７は、押圧用付勢部材８によって元の状態に押し戻されると共に、可動体１９も元の状態に戻されて、二つのロック機構が働いた元の状態に戻る。
この状態で、操作部材１６のみを指等で操作しても、ロック機構が働いているため、操作部材１６は操作不能な状態となっている。
【００７７】
また、図２８は本発明のロック機構付スイッチ装置の第６実施例を示し、この第６実施例は、プッシュ型のスイッチ装置であって、操作部材１６の片側に１個のロック部材１７が配置されて、一つのロック機構が形成されると共に、収納部１ｃ内には、一つのロック部材１７を可動するための一つの可動体１９が収納され、可動体１９の突出部１９ａが収納部１ｃから外方に突出した構成となっている。
【００７８】
また、その他の構成は、前記第５実施例と同様であるので、ここでは同一部品に同一番号を付して、その説明を省略する。
そして、この第６実施例の動作は、前記第５実施例と同様の動きを行うので、ここではその説明を省略する。
【００７９】
なお、第３〜第６実施例においては、ロック部材が直線移動するもので説明したが、ロック部材が直線移動と回転動作を行うようにしたもの、或いはロック部材が回転動作のみ行って、ロック機構を解除するようにしても良い。
【００８０】
【発明の効果】
本発明のロック機構付スイッチ装置は、固定接点を取り付けた絶縁基体と、復帰用付勢部材によって復帰するように付勢された操作部材と、この操作部材の操作によって可動され、固定接点に接離して接点の切換を行う可動接点と、押圧用付勢部材によって常時押圧されたロック部材と、操作部材とロック部材との間に形成されたロック機構とを備え、操作部材のみを操作した際、操作部材はロック機構によって操作不能となすと共に、ロック部材と操作部材を操作可能な駆動部材によって、先ず、ロック部材を可動してロック機構が解除されて、操作部材の操作を可能な状態になし、ロック機構が解除された後、駆動部材によって操作部材が操作されて接点の切換を行うようにしたため、操作部材に不用意にタッチしても、意に反して操作部材が操作されず、正確な操作が可能なロック機構付スイッチ装置を提供できる。
また、このような構成によって、構造が簡単で、生産性の良好なものが得られる。
【００８１】
また、操作部材と並設されたロック部材は、カム部と、操作部材の係合部と係脱可能で、係合部とでロック機構を構成するロック部とを有し、カム部と駆動部材との衝合によってロック部材が可動されて、ロック機構を解除するようにしたため、ロック機構が簡単に形成できて、安価で、組立性の良いものが得られる。
【００８２】
また、ロック部材は、駆動部材によって押圧用付勢部材に抗して直線移動して、ロック機構が解除されるようにしたため、ロック部材の動きが小さく、小型のものが得られる。
【００８３】
また、ロック部材は、駆動部材によって押圧用付勢部材に抗して回転移動して、ロック機構が解除されるようにしたため、ロック部材の動きを大きくできて、ロック機構の解除の確実なものが得られる。
【００８４】
また、ロック部材は、駆動部材によって押圧用付勢部材に抗して直線移動と回転移動して、ロック機構が解除されるようにしたため、ロック部材の動きに自由度を保たせることができ、操作部材の種々の形状に適用できるものが得られる。
【００８５】
また、絶縁基体は、固定接点を取り付けた底壁と、この底壁から伸びる側壁と、底壁と側壁とで囲まれた収納部とを有し、収納部には、操作部材、操作部材を復帰させるための復帰用付勢部材、ロック部材、ロック部材を押圧する押圧用付勢部材、及び可動接点が収納されると共に、絶縁基体の側壁の開放部を覆うように、絶縁基体に取り付けられたカバーを備えたため、構成が簡単で、コンパクトなものが得られる。
【００８６】
また、可動接点は、バネ性ある金属板が折り曲げられて形成され、開放部を設けて互いに対向して配置された第１，第２の基部と、互いに間隔を置いて配置され、第１，第２の基部を連結する第１，第２の連結部と、この第１，第２の連結部間に位置した状態で、互いに対向するように第１，第２の基部から突出して設けられた少なくとも２個の第１，第２の接触部とを備え、底壁から上方に延びる固定接点の接点部は、第１，第２の基部間に位置する開放部と、第１，第２の接触部間に位置し、操作部材の操作によって、可動接点が接点部の延びる方向に移動して、第１，第２の接触部を介して２個の固定接点間をＯＮ、ＯＦＦするようにしたため、可動接点の固定接点への接触は、一対の第１，第２の接触部で挟持するため、接触の確実なものが得られる。
また、可動接点の第１，第２の接触部は、接点部の延びる方向に移動するため、操作部材の移動方向に小型化できると共に、第１，第２の接触部で固定接点を挟持して接触するため、その接触が安定し、接触抵抗の少ないものが得られる。また、可動接点の第１，第２の接触部は、第１，第２の接触部の延びる方向で、固定接点に接触して挟持するため、第１，第２の接触部の変形を少なくできる。
【００８７】
また、可動接点は、第１，第２の連結部がＵ字状に折り曲げられて形成されると共に、第１，第２の連結部間に設けられた孔内には、第１，第２の接触部が配置され、第１，第２の基部が第１，第２の接触部よりも底壁に近い位置に配置されて、固定接点が前記第１，第２の基部の開放部を通って第１，第２の接触部に至るようにしたため、両側に位置する連結部によって接触部が保護され、可動接点の組み立て時における接触部の変形を少なくできる。
【００８８】
また、可動接点を保持した操作部材は、回動可能に取り付けられてレバー型をなし、操作部材の操作部が駆動部材によって操作されて接点の切換を行うようにしたため、構成が簡単で、操作の確実なレバー型のスイッチ装置を提供できる。
【００８９】
また、操作部材の操作部が絶縁基体の収納部内に位置したため、小型のレバー型のスイッチ装置を提供できる。
【００９０】
また、操作部材の操作部が絶縁基体の収納部から外方に突出したため、絶縁基体外から操作が可能な通常のレバー型のスイッチ装置を提供できる。
【００９１】
また、可動接点を保持した操作部材は、直線移動可能に取り付けられてプッシュ型をなし、操作部材の操作部が駆動部材によって操作されて接点の切換を行うようにしたため、構成が簡単で、操作の確実なプッシュ型のスイッチ装置を提供できる。
【００９２】
また、２個のロック部材が操作部材の両側に配置されて、二つのロック機構が形成され、二つのロック機構が解除された後、操作部材の操作を可能としたため、二つのロック機構によって、ロックの一層確実なものが得られる。
【００９３】
また、２個のロック部材の内の一方が移動を始めた後、ロック部材の他方が移動するようにしたため、操作開始時の操作力が小さくなって、操作性の良好なものが得られる。
【００９４】
また、絶縁基体の収納部には、ロック部材のカム部に当接して、ロック部材を移動する可動体が移動可能に取り付けられ、可動体が駆動部材によって操作されて、ロック機構を解除するようにしたため、ロック部材と駆動部材との間において、仲介部材である可動体の存在によって、種々の操作形態に適応できて、融通性のあるものが得られる。
【００９５】
また、可動体に設けられた突出部が収納部から突出して配置され、突出部が駆動部材によって操作されるようにしたため、駆動部材の構成を簡素化できる。
【図面の簡単な説明】
【図１】本発明のロック機構付スイッチ装置の第１実施例を示す分解斜視図。
【図２】本発明のロック機構付スイッチ装置の第１実施例を示す斜視図。
【図３】本発明のロック機構付スイッチ装置の第１実施例に係り、絶縁基体の一部切り欠き斜視図。
【図４】本発明のロック機構付スイッチ装置の第１実施例に係り、操作部材の一部を切り欠きした斜視図。
【図５】本発明のロック機構付スイッチ装置の第１実施例に係り、要部の構成と動作の第１状態を示す説明図。
【図６】本発明のロック機構付スイッチ装置の第１実施例に係り、動作の第２状態を示す説明図。
【図７】本発明のロック機構付スイッチ装置の第１実施例に係り、動作の第２状態における操作部材とロック部材の関係を示す説明図。
【図８】本発明のロック機構付スイッチ装置の第１実施例に係り、動作の第３状態を示す説明図。
【図９】本発明のロック機構付スイッチ装置の第１実施例に係り、動作の第３状態における操作部材とロック部材の関係を示す説明図。
【図１０】本発明のロック機構付スイッチ装置の第１実施例に係り、動作の第４状態を示す説明図。
【図１１】本発明のロック機構付スイッチ装置の第１実施例に係り、動作の第４状態における操作部材とロック部材の関係を示す説明図。
【図１２】本発明のロック機構付スイッチ装置の第２実施例に係り、要部の構成と動作の第１状態を示す説明図。
【図１３】本発明のロック機構付スイッチ装置の第２実施例に係り、動作の第２状態を示す説明図。
【図１４】本発明のロック機構付スイッチ装置の第２実施例に係り、動作の第３状態を示す説明図。
【図１５】本発明のロック機構付スイッチ装置の第２実施例に係り、動作の第４状態を示す説明図。
【図１６】本発明のロック機構付スイッチ装置の第３実施例に係り、要部の構成と動作の第１状態を示す説明図。
【図１７】本発明のロック機構付スイッチ装置の第３実施例に係り、動作の第２状態を示す説明図。
【図１８】本発明のロック機構付スイッチ装置の第３実施例に係り、動作の第３状態を示す説明図。
【図１９】本発明のロック機構付スイッチ装置の第３実施例に係り、動作の第４状態を示す説明図。
【図２０】本発明のロック機構付スイッチ装置の第４実施例に係り、要部の構成と動作の第１状態を示す説明図。
【図２１】本発明のロック機構付スイッチ装置の第４実施例に係り、動作の第２状態を示す説明図。
【図２２】本発明のロック機構付スイッチ装置の第４実施例に係り、動作の第３状態を示す説明図。
【図２３】本発明のロック機構付スイッチ装置の第４実施例に係り、動作の第４状態を示す説明図。
【図２４】本発明のロック機構付スイッチ装置の第４実施例に係り、動作の第５状態を示す説明図。
【図２５】本発明のロック機構付スイッチ装置の第５実施例に係り、要部の構成と動作の第１状態を示す説明図。
【図２６】本発明のロック機構付スイッチ装置の第５実施例に係り、動作の第２状態を示す説明図。
【図２７】本発明のロック機構付スイッチ装置の第５実施例に係り、動作の第３状態を示す説明図。
【図２８】本発明のロック機構付スイッチ装置の第６実施例に係り、要部の構成を示す要部断面図。
【符号の説明】
１  絶縁基体
１ａ  底壁
１ｂ  側壁
１ｃ  収納部
１ｄ  台座部
１ｅ  突起
２  固定接点
２ａ  接点部
３  カバー
３ａ  上面板
３ｂ  側面板
３ｃ  孔
３ｄ  孔
３ｅ  係止部
４  操作部材
４ａ  本体部
４ｂ  操作部
４ｃ  収容部
４ｄ  収容部
４ｅ  支持部
４ｆ  係合部
５  復帰用付勢部材
６  可動接点
６ａ  開放部
６ｂ  第１の基部
６ｃ  第２の基部
６ｄ  第１の連結部
６ｅ  第２の連結部
６ｆ  孔
６ｇ  第１の接触部
６ｈ  第２の接触部
７  ロック部材
７ａ  本体部
７ｂ  凹部
７ｃ  カム部
７ｄ  ロック部
７ｅ  収容部
８  押圧用付勢部材
９  駆動部材
９ａ  第１の駆動部
９ｂ  第２の駆動部
１１  操作部材
１１ｂ  操作部
１１ｆ  係合部
１２  軸部
１３  支軸
１４  ロック部材
１４ｃ  カム部
１４ｄ  ロック部
１５  押圧用付勢部材
１６  操作部材
１６ｂ  操作部
１６ｆ  係合部
１７  ロック部材
１７ｂ  凹部
１７ｃ  カム部
１７ｄ  ロック部
１８  押圧用付勢部材
１９  可動体
１９ａ  突出部
２０  駆動部材
２０ａ  第１の駆動部
２０ｂ  第２の駆動部
【図１】
0003981296.tif 000002
【図２】
0003981296.tif 000003
【図３】
0003981296.tif 000004
【図４】
0003981296.tif 000005
【図５】
0003981296.tif 000006
【図６】
0003981296.tif 000007
【図７】
0003981296.tif 000008
【図８】
0003981296.tif 000009
【図９】
0003981296.tif 000010
【図１０】
0003981296.tif 000011
【図１１】
0003981296.tif 000012
【図１２】
0003981296.tif 000013
【図１３】
0003981296.tif 000014
【図１４】
0003981296.tif 000015
【図１５】
0003981296.tif 000016
【図１６】
0003981296.tif 000017
【図１７】
0003981296.tif 000018
【図１８】
0003981296.tif 000019
【図１９】
0003981296.tif 000020
【図２０】
0003981296.tif 000021
【図２１】
0003981296.tif 000022
【図２２】
0003981296.tif 000023
【図２３】
0003981296.tif 000024
【図２４】
0003981296.tif 000025
【図２５】
0003981296.tif 000026
【図２６】
0003981296.tif 000027
【図２７】
0003981296.tif 000028
【図２８】
0003981296.tif 000029